(57)【要約】【課題】液漏れの発生を防止することが可能な蓄電池用トレーを提供することを目的とするものである。【解決手段】蓄電池用トレー１は、複数の蓄電池を収納可能な、絶縁材により構成される蓄電池用トレー１であって、蓄電池用トレー１の底には蓄電池を支持する凸部３１，３３と電解液を溜める空間３２，３４が設けられ、複数の蓄電池の各々は位置決め部材としてのリブ２１ａ，２２ａと接触して位置決めされると共に、複数の蓄電池間には隙間が設けられており、蓄電池は膨張することが可能である。【選択図】図５
2015005484.tif 000002
【特許請求の範囲】
【請求項１】
複数の蓄電池を収納可能な、絶縁材により構成される蓄電池用トレーであって、
前記蓄電池用トレーの底には蓄電池を支持する凸部と電解液を溜める空間が設けられ、
複数の前記蓄電池の各々は位置決め部材と接触して位置決めされると共に、複数の前記蓄電池間には隙間が設けられており、前記蓄電池は膨張することが可能である、蓄電池用トレー。
【請求項２】
前記位置決め部材はリブであり、各々の前記蓄電池は、少なくとも４か所で前記リブに当接することで位置決めされる、請求項１に記載の蓄電池用トレー。
【請求項３】
複数の前記蓄電池は各々の前記蓄電池の長手方向に沿って並んで配置される、請求項１または２に記載の蓄電池用トレー。
【請求項４】
難燃性材料により構成される、請求項１から３のいずれか１項に記載の蓄電池用トレー。
【請求項５】
蓄電池用トレーは、長手側側壁と短手側側壁とを有し、前記長手側側壁には薄肉部と厚肉部が設けられ、前記厚肉部に前記位置決め部材が接続されている、請求項１から４のいずれか１項に記載の蓄電池用トレー。
【請求項６】
蓄電池用トレーの底部は、中央底部と、前記中央底部よりも深さの浅い外側底部とを有する、請求項１から５のいずれか１項に記載の蓄電池用トレー。
【発明の詳細な説明】
【技術分野】
【０００１】
この発明は蓄電池用トレーに関し、より特定的には、無停電電源装置（Uninterruptible Power Supply）に代表されるような、定置型の蓄電池を収納するための蓄電池用トレーに関するものである。
【背景技術】
【０００２】
従来、蓄電池用トレーは、たとえば、特開平１１−１６５５５号公報（特許文献１）において開示されている。
【先行技術文献】
【特許文献】
【０００３】
【特許文献１】特開平１１−１６５５５号公報
【発明の概要】
【発明が解決しようとする課題】
【０００４】
特許文献１では、蓄電池が電槽割れを起こしたときでもトレー本体から電解液が溢れ出すのを防止できる蓄電池用トレーを得ることを目的として、底板の周囲を包囲して周壁が液密に立設されていて底板上に蓄電池を収容するようになっているトレー本体を備えた蓄電池用トレーにおいて、底板上には蓄電池の底面を支える蓄電池底面支え部を備えていて蓄電池の電槽割れ時の漏洩電解液を溜める液溜め部が設けられている構成を採用している。さらに、トレー本体の底板の下には、該底板をその支持体から電気的に浮かす絶縁物が設けられている。蓄電池を収納する蓄電池用トレーを収容するようになっている電源用箱体において、蓄電池用トレーは、底板の周囲を包囲して周壁が液密に立設されていて底板上に蓄電池を収容するようになっているトレー本体と、トレー本体の底板上にて蓄電池の底面を蓄電池底面支え部で支えて蓄電池の電槽割れ時の漏洩電解液を溜める液溜め部とを備えた構造になっている。トレー本体の底板の下には、該底板をその支持体から電気的に浮かす絶縁物が設けられている。
【０００５】
上記のようなトレーでは、蓄電池が膨張した場合に、液漏れが発生しやすいという問題があった。
【０００６】
そこで、この発明は上記の問題を解決するためになされたものであり、液漏れの発生を防止することが可能な蓄電池用トレーを提供することを目的とするものである。
【課題を解決するための手段】
【０００７】
この発明に従った蓄電池用トレーは、複数の蓄電池を収納可能な、絶縁材により構成される蓄電池用トレーであって、蓄電池用トレーの底には蓄電池を支持する凸部と電解液を溜める空間が設けられ、複数の蓄電池の各々は位置決め部材と接触して位置決めされると共に、複数の蓄電池間には隙間が設けられており、蓄電池は膨張することが可能である。
【０００８】
このように構成された蓄電池用トレーでは、複数の蓄電池間には隙間が設けられているため、蓄電池が膨張して上部から液が漏れても、この液は隙間を伝って底部の空間に溜められる。その結果、液漏れを防止することが可能となる。
【０００９】
好ましくは、位置決め部材はリブであり、各々の蓄電池は、少なくとも４か所でリブに当接することで位置決めされる。
【００１０】
好ましくは、複数の蓄電池は各々の蓄電池の長手方向に沿って並んで配置される。
好ましくは、蓄電池用トレーは難燃性材料により構成される。
【００１１】
好ましくは、蓄電池用トレーは、長手側側壁と短手側側壁とを有し、長手側側壁には薄肉部と厚肉部が設けられ、厚肉部に位置決め部材が接続されている。
【００１２】
好ましくは、蓄電池用トレーの底部は、中央底部と、中央底部よりも深さの浅い外側底部とを有する。
【図面の簡単な説明】
【００１３】
【図１】実施の形態に従った蓄電池用トレーの正面図である。
【図２】実施の形態に従った蓄電池用トレーの平面図である。
【図３】実施の形態に従った蓄電池用トレーの底面図である。
【図４】図１中の矢印ＩＶで示す方向からみた実施の形態に従った蓄電池用トレーの右側面図である。
【図５】実施の形態に従った蓄電池用トレーの斜視図である。
【図６】図２中のＶＩ−ＶＩ線に沿って見た実施の形態に従った蓄電池用トレーの断面図である。
【図７】図２中のＶＩＩ−ＶＩＩ線に沿って見た実施の形態に従った蓄電池用トレーの断面図である。
【図８】図２中のＶＩＩＩ−ＶＩＩＩ線に沿って見た実施の形態に従った蓄電池用トレーの断面図である。
【図９】図８で示す断面を拡大した、実施の形態に従った蓄電池用トレーの断面図である。
【図１０】実施の形態に従った蓄電池用トレーに蓄電池を収納した使用状態を示す斜視図である。
【図１１】押さえ金具と、蓄電池と、実施の形態に従った蓄電池用トレーとの分解斜視図である。
【図１２】実施の形態に従った蓄電池用トレーに蓄電池を収納した使用状態を示す横断面図である。
【図１３】実施の形態に従った蓄電池用トレーに蓄電池を収納した使用状態を示す縦断面図である。
【図１４】実施の形態に従った蓄電池用トレーに蓄電池を収納した使用状態を示す平面図である。
【図１５】実施の形態に従った蓄電池用トレーに蓄電池を収納して蓄電池が膨張した使用状態を示す平面図である。
【発明を実施するための形態】
【００１４】
以下、実施の形態について図面を参照して説明する。なお、以下の実施の形態では同一または相当する部分については同一の参照符号を付し、その説明については繰り返さない。
【００１５】
（１）蓄電池用トレーの構成
図１は、実施の形態に従った蓄電池用トレーの正面図である。図２は、実施の形態に従った蓄電池用トレーの平面図である。図３は、実施の形態に従った蓄電池用トレーの底面図である。図４は、図１中の矢印ＩＶで示す方向からみた実施の形態に従った蓄電池用トレーの右側面図である。図５は、実施の形態に従った蓄電池用トレーの斜視図である。図６は、図２中のＶＩ−ＶＩ線に沿って見た実施の形態に従った蓄電池用トレーの断面図である。図７は、図２中のＶＩＩ−ＶＩＩ線に沿って見た実施の形態に従った蓄電池用トレーの断面図である。図８は、図２中のＶＩＩＩ−ＶＩＩＩ線に沿って見た実施の形態に従った蓄電池用トレーの断面図である。図９は、図８で示す断面を拡大した、実施の形態に従った蓄電池用トレーの断面図である。
【００１６】
これらの図を参照して、蓄電池用トレー１は、側部２０と底部３０とを有する。側部２０は、長手側側壁２１と短手側側壁２２とを有する。長手側側壁２１は、蓄電池用トレー１の長手方向に延在する。長手側側壁２１の内周面側には、底部３０から上方に向かって延在するリブ２１ａが複数本設けられる。長手側側壁２１には薄肉部２１ｂと厚肉部２１ｃが設けられる。薄肉部２１ｂは蓄電池が膨張した場合に蓄電池と長手側側壁２１との接触を防止するために設けられる。厚肉部２１ｃは、薄肉部２１ｂよりも肉厚に設けられてリブ２１ａを保持している。短手側側壁２２にはリブ２２ａが設けられており、リブ２２ａは蓄電池５０に当接する。
【００１７】
底部３０は中央底部３５と、中央底部３５よりも深さの浅い外側底部３６とを有する。このように底部３０を２段構造とすることで、底部３０の強度を向上させることができる。底部３０には、複数の凸部３１，３３が設けられており、これらの凸部３１，３３以外の部分が、電解液を溜める空間３２，３４とされている。
【００１８】
蓄電池用トレー１は、さらにフランジ部４０を有する。フランジ部４０は、短手側側壁２２側に設けられており、フランジ部４０には貫通孔４１が形成されている。フランジ部４０は蓄電池用トレー１を台に固定するための部分であり、厚肉に構成される。
【００１９】
（２）蓄電池用トレー１の使用状態
図１０は、実施の形態に従った蓄電池用トレーに蓄電池を収納した使用状態を示す斜視図である。図１１は、押さえ金具と、蓄電池と、実施の形態に従った蓄電池用トレーとの分解斜視図である。図１２は、実施の形態に従った蓄電池用トレーに蓄電池を収納した使用状態を示す横断面図である。図１３は、実施の形態に従った蓄電池用トレーに蓄電池を収納した使用状態を示す縦断面図である。
【００２０】
これらの図を参照して、蓄電池用トレー１の使用時には、蓄電池用トレー１に蓄電池５０が嵌め合わせられる。この例では３つの蓄電池５０が１つの蓄電池用トレー１に嵌め合わせられる例を示しているが、１つの蓄電池用トレー１にさらに多くの、または少ない蓄電池５０が嵌め合わせられてもよい。蓄電池５０は長手方向と有し蓄電池用トレー１の長手方向と蓄電池５０の長手方向とが一致するように蓄電池５０は蓄電池用トレー１に嵌め合わせられる。蓄電池５０は押さえ金具５１により押圧されており、押さえ金具５１はボルト５２によりフランジ部４０に固定される。
【００２１】
蓄電池用トレー１は難燃材、たとえば、ＵＬ９４Ｖ−０規格を通過するものとすることが好ましい。さらに、蓄電池用トレー１は高強度・耐酸性材料により構成される。蓄電池用トレー１の下部には、電解液を溜める空間３２，３４を設けており、蓄電池用トレー１内に、蓄電池５０から漏れた電解液を溜めることができる。蓄電池５０の膨張によって蓄電池用トレー１が割れることを防止するために、蓄電池５０の膨張分の余裕を蓄電池用トレー１に設け、蓄電池５０の四隅をリブ２１ａ，２２ａで固定する形状としている。膨張分の余裕のスペースは、蓄電池５０の上部で液漏れが発生した場合の下まで液が流れるためのスペースを兼ねている。このような構成とすることで、絶縁シートで導電部分を包んだり、折ったりする手間がなくなるため、組立作業性が向上する。蓄電池用トレー１は成型品のため、大量生産に適しており、コストを削減することが可能となる。
【００２２】
（３）蓄電池５０の膨張
図１４は、実施の形態に従った蓄電池用トレーに蓄電池を収納した使用状態を示す平面図である。図１５は、実施の形態に従った蓄電池用トレーに蓄電池を収納して蓄電池が膨張した使用状態を示す平面図である。
【００２３】
これらの図を参照して、隣接する蓄電池５０間の隙間をＷ１、蓄電池５０と短手側側壁２２との間の隙間をＷ２、蓄電池５０と長手側側壁２１との間の隙間をＷ３とした場合に、Ｗ１が、Ｗ２およびＷ３よりも大きい。蓄電池５０の寿命末期には、蓄電池５０は、図１５中の点線で示すように、膨張する場合がある。この場合でも、上記の隙間が設けられているため、蓄電池用トレー１が割れることを防止できる。さらに、隙間が存在することで蓄電池５０の上部から電解液が漏れた場合であっても、この隙間を経由して下部へ電解液が流れ込んで蓄電池用トレー１内に電解液を保持することが可能である。蓄電池５０が膨張しやすい方向の隙間を大きくすることができる。
【００２４】
つまり、蓄電池用トレー１は、複数の蓄電池５０を収納可能な、絶縁材により構成される蓄電池用トレー１であって、蓄電池用トレー１の底には蓄電池５０を支持する凸部３１，３３と電解液を溜める空間３２，３４が設けられ、複数の蓄電池５０の各々は位置決め部材としてのリブ２１ａ，２２ａと接触して位置決めされると共に、複数の蓄電池５０間には隙間が設けられており、蓄電池５０は膨張することが可能である。各々の蓄電池５０は、少なくとも４か所でリブに当接することで位置決めされる。複数の蓄電池５０は各々の蓄電池５０の長手方向に沿って並んで配置される。蓄電池用トレー１は難燃性材料により構成される。蓄電池用トレー１は、長手側側壁２１と短手側側壁２２とを有し、長手側側壁２１には薄肉部２１ｂと厚肉部２１ｃが設けられ、厚肉部２１ｃにリブ２１ａが接続されている。蓄電池用トレー１の底部３０は、中央底部３５と、中央底部３５よりも深さの浅い外側底部３６とを有する。
【００２５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２６】
この発明は、蓄電池を保持するトレーの分野において用いることができる。
【符号の説明】
【００２７】
１  蓄電池用トレー、２０  側部、２１  長手側側壁、２１ａ  リブ、２２  短手側側壁、３０  底部、３１，３３  凸部、３２，３４  空間、４０  フランジ部、４１  貫通孔。
【図１】
2015005484.tif 000003
【図２】
2015005484.tif 000004
【図３】
2015005484.tif 000005
【図４】
2015005484.tif 000006
【図５】
2015005484.tif 000007
【図６】
2015005484.tif 000008
【図７】
2015005484.tif 000009
【図８】
2015005484.tif 000010
【図９】
2015005484.tif 000011
【図１０】
2015005484.tif 000012
【図１１】
2015005484.tif 000013
【図１２】
2015005484.tif 000014
【図１３】
2015005484.tif 000015
【図１４】
2015005484.tif 000016
【図１５】
2015005484.tif 000017